(57)【要約】【課題】  より簡単に電気光学装置からＣＣＦＴ等の照明装置等を取り外し新しい照明装置等と交換でき、電気光学装置全体の省資源化、低コスト化を図ることが可能な電気光学装置及びその電気光学装置を用いた電子機器を提供すること。【解決手段】  液晶装置１は、照明装置５を中カバー６でカバーしユニット化して液晶パネル２をカバーする表カバー３に収容し、それらを固定部材である皿ネジ１０で一体的に固定し更に夫々を取外し可能としたので、寿命や不良となった例えば照明装置５を１つのバックライトユニット７として簡単に取外して交換することができ、交換作業が極めて容易となった。また、そのことにより、まだ使用可能なところはそのまま再利用して液晶装置１の再使用が可能となるので省資源化を図ることができる。【選択図】  図１
2005352039.tif 000002
【特許請求の範囲】
【請求項１】
電気光学材料を保持する基板を有する電気光学パネルと、前記電気光学パネルに光を射出する照明装置とを備える電気光学装置において、
前記照明装置の光の射出面と反対側の面から所定の間隔をもって前記反対側の面を覆う第１のカバーと、
前記照明装置と、前記所定の間隔を形成すると共に前記照明装置を位置決めするスペーサを有し前記照明装置をカバーする第２のカバーとを有する照明ユニットと、
前記電気光学パネルと、該電気光学パネルをカバーし該電気光学パネルの表示面と反対側に前記照明ユニット及び前記第１のカバーを収容する第３のカバーとを有する電気光学パネルユニットと、
前記第１のカバーと前記照明ユニット及び前記電気光学パネルユニットとを一体的に固定し更に夫々を取外し可能とする固定部材と
を具備することを特徴とする電気光学装置。
【請求項２】
前記第２のカバーは、前記第１のカバー側の第１の面と該第１の面の縁から前記第１のカバーに向かって突出している前記スペーサとを有し、
前記照明ユニットは、前記スペーサと前記固定部材とにより前記第１のカバーと前記電気光学パネルユニットとに一体的に固定され更に夫々が取外し可能とされていることを特徴とする請求項１に記載の電気光学装置。
【請求項３】
前記第１のカバーは、前記第２のカバー側の第２の面と少なくとも前記スペーサに対応する固定部とを有し、
前記第３のカバーは、前記第１のカバーと前記照明ユニットとを収容するように前記電気光学パネルによる表示側面の縁に前記第１のカバー側に立設された第１の側壁を有し、
前記固定部材は、前記固定部及び前記スペーサと前記第１の側壁とで前記第１のカバーと前記照明ユニット及び前記電気光学パネルユニットとを一体的に固定し更に夫々を取外し可能とするものであることを特徴とする請求項１又は請求項２に記載の電気光学装置。
【請求項４】
前記固定部は、前記スペーサの厚さ分だけ前記第２の面の縁から内側に形成されていることを特徴とする請求項３に記載の電気光学装置。
【請求項５】
前記第１、第２及び第３のカバーは、一方が開放された箱型の形状を有し、
前記第１のカバーは、前記開放された側が前記第３のカバーの内側向きになるように配置されると共に前記箱型の側壁である前記固定部を含む第２の側壁を有し、
前記第２のカバーは、前記第１のカバーと平面的に略同じ大きさで、前記開放された側に前記照明装置が配置されると共に前記スペーサが延設されている前記箱型の側壁である第３の側壁を有し、
前記第３のカバーは、前記開放された側に前記電気光学パネルが配置されると共に前記第１のカバーと第２のカバーとが丁度収まるような前記第１の側壁である前記箱型の側壁を有することを特徴とする請求項３又は請求項４に記載の電気光学装置。
【請求項６】
前記第１の面に少なくとも前記照明装置を制御する電子部品を実装した回路基板を更に配置し、
前記スペーサにより形成される前記所定の間隔は、少なくとも前記電子部品が前記回路基板に実装可能となるスペースを前記第１の面と前記第２の面との間に形成するものであることを特徴とする請求項３から請求項５のうちいずれか一項に記載の電気光学装置。
【請求項７】
前記第２のカバーは、該第１の面に前記回路基板を着脱可能とする第１の係止部を有することを特徴とする請求項６に記載の電気光学装置。
【請求項８】
前記第３の側壁は、前記第２のカバーを前記第１の側壁内の所定の位置に仮止めすることが可能な第２の係止部を有することを特徴とする請求項５から請求項７のうちいずれか一項に記載の電気光学装置。
【請求項９】
前記第１の側壁は、該第１の側壁内に収容される前記第３の側壁に向かって突出する突起を有し、
前記第２の係止部は、前記突起が係合する凹部を有することを特徴とする請求項８に記載の電気光学装置。
【請求項１０】
前記第２のカバーは、アルミニューム材により構成され、
前記アルミニューム材により構成された第２のカバーと前記回路基板との間に絶縁材を更に有することを特徴とする請求項６から請求項９のうちいずれか一項に記載の電気光学装置。
【請求項１１】
前記固定部材は、雄ネジであり、
前記第１の側壁は、前記雄ネジを挿入させ該雄ネジの頭部が係止可能な第１の孔を有し、
前記スペーサは、前記雄ネジが挿入可能な前記第１の孔に対応する第２の孔を有し、
前記固定部は、前記第１の孔及び第２の孔に挿入された雄ネジを固定し、該固定部と前記第１の側壁との間に前記スペーサを挟み、前記第１のカバーと前記照明ユニット及び前記電気光学パネルユニットとを一体的に固定可能な雌ネジを有することを特徴とする請求項３から請求項１０のうちいずれか一項に記載の電気光学装置。
【請求項１２】
請求項１から請求項１１のうちいずれか一項に記載の電気光学装置を備えたことを特徴とする電子機器。
【発明の詳細な説明】
【技術分野】
【０００１】
本発明は、パーソナルコンピュータや携帯電話機等に用いられる電気光学装置及びその電気光学装置を用いた電子機器に関する。
【背景技術】
【０００２】
従来、パーソナルコンピュータや携帯電話機といった電子機器の表示装置として液晶装置等の電気光学装置が広く用いられており、その液晶装置の液晶パネルに光を射出する照明装置としてＣＣＦＴ（Ｃｏｌｄ  Ｃａｔｈｏｄｅ  Ｆｌｕｏｒｅｓｃｅｎｔ  Ｔｕｂｅ）等を光源としたバックライトユニット等が用いられている。
【０００３】
しかし、パーソナルコンピュータや携帯電話機等はより小型化、薄型化及び省資源化が求められており、その小型化、薄型化を目的としてフレームに係合辺を設け、その係合片を折り曲げることでバックライトユニットをフレームに固定した液晶表示装置等が提案されている。（例えば、特許文献１参照。）。
【特許文献１】特開平０５−８０３３４号公報（段落[０００５]から[００１３]、図２）。
【発明の開示】
【発明が解決しようとする課題】
【０００４】
しかしながら上述の液晶表示装置により液晶表示装置の小型化、薄型化を図ることはできたが、照明装置の光源である例えばＣＣＦＴの寿命が液晶パネルの寿命よりかなり短く、液晶パネルは十分使用可能なのにＣＣＦＴが寿命になり液晶パネルも含め液晶装置全体が使用できなくなり、廃棄され液晶装置が無駄にされ、省資源化が図れないという問題が生じていた。
【０００５】
本発明は、上述の課題に鑑みてなされるもので、より簡単に電気光学装置からＣＣＦＴ等の照明装置等を取り外し新しい照明装置等と交換でき、電気光学装置全体の省資源化、低コスト化を図ることが可能な電気光学装置及びその電気光学装置を用いた電子機器を提供することを目的とする。
【課題を解決するための手段】
【０００６】
上記目的を達成するために、本発明の主たる観点に係る電気光学装置は、電気光学材料を保持する基板を有する電気光学パネルと、前記電気光学パネルに光を射出する照明装置とを備える電気光学装置において、前記照明装置の光の射出面と反対側の面から所定の間隔をもって前記反対側の面を覆う第１のカバーと、前記照明装置と、前記所定の間隔を形成すると共に前記照明装置を位置決めするスペーサを有し前記照明装置をカバーする第２のカバーとを有する照明ユニットと、前記電気光学パネルと、該電気光学パネルをカバーし該電気光学パネルの表示面と反対側に前記照明ユニット及び前記第１のカバーを収容する第３のカバーとを有する電気光学パネルユニットと、前記第１のカバーと前記照明ユニット及び前記電気光学パネルユニットとを一体的に固定し更に夫々を取外し可能とする固定部材とを具備することを特徴とする。
【０００７】
本発明は、照明装置を第２のカバーでカバーしユニット化して電気光学パネルをカバーする第３のカバーに収容し、それらを固定部材で一体的に固定し更に夫々を取外し可能としたので、寿命や不良となった例えば照明装置を１つの照明ユニットとして簡単に取外して交換することができ、交換作業が極めて容易となった。また、そのことにより、まだ使用可能なところはそのまま再利用して電気光学装置の再使用が可能となるので省資源化を図ることができる。
【０００８】
また、第２のカバーに所定の間隔を形成すると共に照明装置を位置決めするスペーサを有することとしたので、該スペーサを用いて第１のカバーとの間に必要な電子部品例えばＩＣ等の収納スペースを確保できると共に、第２のカバーでカバーされる照明装置を所定の位置に位置決めし固定することも可能となる。
【０００９】
本発明の一の形態によれば、前記第２のカバーは、前記第１のカバー側の第１の面と該第１の面の縁から前記第１のカバーに向かって突出している前記スペーサとを有し、前記照明ユニットは、前記スペーサと前記固定部材とにより前記第１のカバーと前記電気光学パネルユニットとに一体的に固定され更に夫々が取外し可能とされていることを特徴とする。これにより、照明装置が配置される場所にかかわらず比較的スペースに余裕がある部分で固定部材により、第１のカバーと照明ユニット及び電気光学パネルユニットとを一体的に固定することができる。また、突出したスペーサにより簡単に第１のカバーとの間に必要な電子部品等の収納スペースを確保できる。
【００１０】
本発明の一の形態によれば、前記第１のカバーは、前記第２のカバー側の第２の面と少なくとも前記スペーサに対応する固定部とを有し、前記第３のカバーは、前記第１のカバーと前記照明ユニットとを収容するように前記電気光学パネルによる表示側面の縁に前記第１のカバー側に立設された第１の側壁を有し、前記固定部材は、前記固定部及び前記スペーサと前記第１の側壁とで前記第１のカバーと前記照明ユニット及び前記電気光学パネルユニットとを一体的に固定し更に夫々を取外し可能とするものであることを特徴とする。これにより、電気光学装置の表示面に対しその側方の第１の側壁に固定部材、例えば皿ネジ等を挿入して、電気光学パネルユニットに照明ユニットと第１のカバーとを一体的に固定することが可能となり、より小型化、薄型化を図ることが可能となる。
【００１１】
本発明の一の形態によれば、前記固定部は、前記スペーサの厚さ分だけ前記第２の面の縁から内側に形成されていることを特徴とする。これにより、固定部及び第１の側壁とスペーサとを一体的に固定するときに、スペーサを窪んだ固定部に入れることができ、その分、電気光学装置の横方向の長さを縮めることができる。また、該固定部が丁度スペーサが嵌まり込む大きさに形成されていれば、簡単に第１のカバーと照明ユニットとの位置決めができることなり、組立作業の効率化が図れる。
【００１２】
本発明の一の形態によれば、前記第１、第２及び第３のカバーは、一方が開放された箱型の形状を有し、前記第１のカバーは、前記開放された側が前記第３のカバーの内側向きになるように配置されると共に前記箱型の側壁である前記固定部を含む第２の側壁を有し、前記第２のカバーは、前記第１のカバーと平面的に略同じ大きさで、前記開放された側に前記照明装置が配置されると共に前記スペーサが延設されている前記箱型の側壁である第３の側壁を有し、前記第３のカバーは、前記開放された側に前記電気光学パネルが配置されると共に前記第１のカバーと第２のカバーとが丁度収まるような前記第１の側壁である前記箱型の側壁を有することを特徴とする。これにより、例えば第３のカバーである一番大きな箱に照明ユニットの第２のカバーの箱を収め、その上に第１のカバーである背面カバーとしての箱を積み上げるようにして収納できるので、交換作業がより容易となる。また、夫々の形状が単純で製造コストの低減を図ることが可能である。
【００１３】
本発明の一の形態によれば、前記第１の面に少なくとも前記照明装置を制御する電子部品を実装した回路基板を更に配置し、前記スペーサにより形成される前記所定の間隔は、少なくとも前記電子部品が前記回路基板に実装可能となるスペースを前記第１の面と前記第２の面との間に形成するものであることを特徴とする。これにより、回路基板の電子部品を傷つけないで電気光学装置の小型化を図ることができる。
【００１４】
本発明の一の形態によれば、前記第２のカバーは、該第１の面に前記回路基板を着脱可能とする第１の係止部を有することを特徴とする。これにより、第２のカバーから再使用可能な電子部品が実装された回路基板を取外すことが簡単にでき、更なる省資源化を図ることが可能となる。
【００１５】
本発明の一の形態によれば、前記第３の側壁は、前記第２のカバーを前記第１の側壁内の所定の位置に仮止めすることが可能な第２の係止部を有することを特徴とする。これにより、固定部材で最終的に第１のカバーと照明ユニット及び電気光学パネルユニットとを一体的に固定するまでの間に第３のカバー内に収めた照明ユニットが動いてしまうことを防ぐことができ、組立作業が容易となる。
【００１６】
本発明の一の形態によれば、前記第１の側壁は、該第１の側壁内に収容される前記第３の側壁に向かって突出する突起を有し、前記第２の係止部は、前記突起が係合する凹部を有することを特徴とする。これにより、簡単な構造により照明ユニットを第３のカバーの所定の位置に仮止めすることができる。
【００１７】
本発明の一の形態によれば、前記第２のカバーは、アルミニューム材により構成され、前記アルミニューム材により構成された第２のカバーと前記回路基板との間に絶縁材を更に有することを特徴とする。これにより、照明装置、特にＣＣＦＴ等からの熱を第２のカバー全体で均一化させ、電気光学パネル等への影響を最小限に抑えることができる。また、第２のカバーと回路基板との間に絶縁材を配置したので、回路基板の配線が電気的にショートすることを防ぐことができる。
【００１８】
本発明の一の形態によれば、前記固定部材は、雄ネジであり、前記第１の側壁は、前記雄ネジを挿入させ該雄ネジの頭部が係止可能な第１の孔を有し、前記スペーサは、前記雄ネジが挿入可能な前記第１の孔に対応する第２の孔を有し、前記固定部は、前記第１の孔及び第２の孔に挿入された雄ネジを固定し、該固定部と前記第１の側壁との間に前記スペーサを挟み、前記第１のカバーと前記照明ユニット及び前記電気光学パネルユニットとを一体的に固定可能な雌ネジを有することを特徴とする。これにより、雄ネジを第１の側壁の第１の孔、スペーサの第２の孔に挿入し固定部の雌ネジにねじ込むことにより、きわめて簡単に第１のカバーと照明ユニット及び電気光学パネルユニットとを一体的に固定することができる。また、該雄ネジを雌ネジ、第１及び第２の孔から外すことにより簡単に第１のカバーと照明ユニット及び電気光学パネルユニットとを夫々取外すことができる。更にこの取り外しが、他の部品の元の形を損なわずにできるので交換しない部品の再利用が可能となる。
【００１９】
本発明の他の観点にかかる電子機器は、上述する電気光学装置を備えたことを特徴とする。
【００２０】
本発明は、より簡単に電気光学装置からＣＣＦＴ等の照明ユニットを取り外し、新しい照明ユニットと交換でき、電気光学装置全体の省資源化、小型化を図ることが可能な電気光学装置を備えるので、電子機器の省資源化を図りながらより小型化、低コスト化を図ることが可能となる。
【発明を実施するための最良の形態】
【００２１】
以下、本発明に実施形態を図面に基づき説明する。なお、以下実施形態を説明するにあたっては、電気光学装置の例として液晶装置、具体的には反射半透過型のパッシブマトリックス方式の液晶装置、またその液晶装置を用いた電子機器について説明するがこれに限られるものではない。また、以下の図面においては各構成を分かりやすくするために、実際の構造と各構造における縮尺や数等が異なっている。
【００２２】
（第１の実施形態）
【００２３】
図１は本発明の第１の実施形態に係る液晶装置を３つに分けた分解斜視図、図２は図１を反対側から見た分解斜視図、図３は液晶装置のより細かい分解斜視図、図４は図２のＡ−Ａ線断面図（液晶駆動用ＩＣは切断されていない。）、図５は図２のＢ−Ｂ線断面図及び図６は他の背面カバーの説明図である。
【００２４】
（液晶装置の構成）
【００２５】
液晶装置１は、例えば図１及び図２に示すように電気光学パネルとしての液晶パネル２とその液晶パネル２をカバーする第３のカバーとしての表カバー３とを有する電気光学パネルユニットとしての液晶パネルユニット４、その液晶パネル２に光を射出する照明装置５とその照明装置５をカバーする第２のカバーとしての中カバー６とを有する照明ユニットとしてのバックライトユニット７、照明装置５等を制御等する回路基板８（８ａ，８ｂ）、更に第１のカバーとしての背面カバー９、それらのカバーを一体的に固定する雄ネジとしての皿ネジ１０を有する。ここで、液晶装置１には、背面カバー９の他にも、その他の付帯機構が必要に応じて付設される（図示しない）。
【００２６】
液晶パネルユニット４の液晶パネル２は、例えば図３及び図５に示すようにシール材１１を介して貼り合わされた基板である第１の基板１２及び第２の基板１３と、両基板の隙間に封入された電気光学材料、例えばＳＴＮ（Ｓｕｐｅｒ  Ｔｗｉｓｔｅｄ  Ｎｅｍａｔｉｃ）型の液晶１４とを有する。
【００２７】
第１の基板１２には、例えば図３及び図５に示すように液晶側表面に複数のコモン電極１５が所定のパターンで形成されており、そのコモン電極１５の上（液晶側）にはオーバーコート層１６が形成され、更にその上に図示しない配向膜が形成されている。また、第１の基板１２の外側（液晶１４と反対側）には図示しない偏光板等が配置されている。
【００２８】
一方、第２の基板１３には、例えば図３及び図５に示すように液晶側表面に、複数のセグメント電極１７が所定のパターンで形成されており、そのセグメント電極１７の上にはオーバーコート層１８が形成され、更にその上に図示しない配向膜が形成されている。また、第２の基板１３の外側（液晶１４と反対側）には図示しない偏光板等が配置されている。
【００２９】
尚、第１の基板１２及び第２の基板１３のいずれか一方の内側表面には図示しないが必要に応じて下地層、反射層、着色層及び光遮蔽層等を形成する。
【００３０】
ここで、第１の基板１２及び第２の基板１３は、図３及び図５に示すように例えばガラスや合成樹脂といった光透過性材料から形成された板状部材であり、第２の基板１３は第１の基板１２に対し外側へ（図３及び図５中のＹ軸方向）張出した張出し部１９を有している。
【００３１】
コモン電極１５は、例えばＩＴＯ（Ｉｎｄｕｉｕｍ  Ｔｉｎ  Ｏｘｉｄｅ）の透明導電材料でストライプ状に複数形成されているが、図３及び図５に示すように一方方向（図中のＸ軸方向）で平行になるようにストライプ形状で複数形成されている。
【００３２】
また、セグメント電極１７はコモン電極１５と同様にＩＴＯ等の透明導電材料でストライプ状に複数形成されているが、図３及び図５に示すようにコモン電極１５と交差するように図中のＹ軸方向に形成されている。
【００３３】
張出し部１９は、例えば図３及び図５に示すようにコモン電極及びセグメント電極１５，１７がシール材１１で囲まれる領域から当該張出し部１９に延びたコモン電極用配線２０及びセグメント電極用配線２１、その各電極用配線に例えば液晶駆動用電流を供給する液晶駆動用ＩＣ２２等を有する。
【００３４】
また、張出し部１９は回路基板８等からの電流を受取る外部用端子２３、その外部からの電流を液晶駆動用ＩＣ２２に供給する図示しない入力用配線等を有する。
【００３５】
液晶駆動用ＩＣ２２は、例えば回路基板８及び外部用端子２３を介して表示画像等に関わる各種の信号を受信すると、この信号に応じた駆動用信号を生成するものであり、その駆動信号はコモン電極用配線及びセグメント電極用配線２０，２１に供給される。
【００３６】
また、表カバー３は例えば図１及び図２に示すようにその表示側面と反対側に開放された箱型の形状を有し、その表示側面には中央に略矩形状の表示用開口部２４が形成されている。
【００３７】
更に表カバー３は、その表示側面の縁である例えば４辺に略直角で背面カバー９側に立設された第１の側壁２５（２５ａ，２５ｂ）を有し、該第１の側壁２５（２５ａ，２５ｂ）は例えば図４及び図５に示すように表カバー３内にバックライトユニット７と背面カバー９とを挿入したときに該第１の側壁２５（２５ａ，２５ｂ）の内面に中カバー６及び背面カバー９の側壁が丁度収まるように形成されている。これにより、液晶装置１の小型化が図れると共に皿ネジ１０を挿入する際も中のバックライトユニット７と背面カバー９が所定の位置に固定されているので、容易である。
【００３８】
また、第１の側壁２５（２５ａ，２５ｂ）、例えば図１及び図２に示すように相対向する第１の側壁２５ａ，２５ｂに夫々２箇所、皿ネジ１０を挿入する第１の孔２６が左右離間して設けられている。更に第１の孔２６は、図１、図２及び図４に示すように内径が内側で小さく、外側近くが大きくなっており、皿ネジ１０の頭部分（皿部分）が第１の側壁２５で係止するように形成されている。これにより、後述する背面カバー９の固定部の雌ネジとで中カバーを挟んで固定できる。
【００３９】
また、例えば図２に示すように第１の側壁２５ａ，２５ｂにはその内面に、第１の孔２６の斜め下方に夫々突起２７が形成されており、丁度内部にバックライトユニット７が収容されたときにバックライトユニット７の側壁に設けられた第２の係止部としての凹部に係合するようになっている。これにより、皿ネジ１０で一体的に固定されるまで簡単にはバックライトユニット７が動かないようにすることができる。
【００４０】
更に例えば図３及び図４に示すように表示用開口部２４側に液晶パネル２の第１の基板１２が来るように表カバー３の開放側に液晶パネル２が配置されている。
【００４１】
次に、バックライトユニット７の照明装置５は、例えば図３、図４及び図５に示すように光源２８、導光板２９、２枚のプリズムシート３０，３１、拡散シート３２、反射シート３３及び遮光部材３４等を有する。
【００４２】
光源２８は例えばＣＣＦＴ（冷陰極管）等が用いられ、図３、図４及び図５に示すように第２の基板１３の張出し部１９側の導光板２９の端面である受光面に該光源２８からの光が入射するように配置されている。勿論、張出し部１９と反対側に配置してもよいし、その他の辺側に配置してもよい。
【００４３】
また、導光板２９は例えば図３、図４及び図５に示すように略矩形状をなし、光源２８から射出された光を拡散シート３２の全体に照射させるものであり、プリズムシート３０，３１は導光板２９から射出された光の輝度を向上させるものである。
【００４４】
ここで、導光板２９の光の射出面側には例えば拡散シート３２、２枚のプリズムシート３１，３０及び遮光部材３４の順に配置されており、導光板２９の射出面と反対側には反射シート３３が配置されている。更に導光板２９、拡散シート３２、２枚のプリズムシート３０，３１及び反射シート３３は略同じ大きさを有している。
【００４５】
また、遮光部材３４は例えば図３、図４及び図５に示すように中央部分が少なくとも第１の基板１２の表示に関与する領域である有効表示領域と一致するように開口部が形成された額縁状に形成されており、張出し部１９付近等の表示に関与できない領域からの光を遮蔽している。また、遮光部材３４は、例えば液晶パネル側は黒色でプリズムシート側は白色等の光を反射する構成としてもよい。これにより、光源２８等から漏れた光を遮光部材３４で反射し、外部からの光も黒色面で吸収され例えば液晶駆動用ＩＣへの反射による影響を少なくすることができる。
【００４６】
更に中カバー６は例えば図１、図２及び図３に示すように光の射出面側に開放された略箱型の形状で表カバー３の第１の側壁内に収まるように形成されている。
【００４７】
また、中カバー６は図２に示すように開放側と反対側である背面カバー９側に略矩形状の平面である第１の面３５を有し、その周辺例えば４辺から照明装置５の側面を覆うように略直角に立設された箱型の側壁となる第３の側壁３６（３６ａ，３６ｂ）を有する。
【００４８】
その第３の側壁３６、例えば図２に示すように表カバー３に形成された第１の孔２６に対応する相対向する第３の側壁３６ａ，３６ｂは、該第３の側壁３６ａ，３６ｂから夫々延設されたスペーサ３７が設けられている。例えばスペーサ３７は平板状の形状を有し、その略中央には第２の孔３８が形成されている。
【００４９】
また、第２の孔３８は例えば図４及び図５に示すように該第２の孔３８に挿入された皿ネジ１０を後述する背面カバー９の固定部の雌ネジにねじ込んだときに、該第１の面３５と背面カバー９（第２の面）との間に回路基板８にＩＣ等の電子部品が安全に実装できるだけの間隔（図５中のＣ）を生成するような位置に形成されている。これにより、スペーサ３７により中カバー６の位置決めがされることとなる。
【００５０】
更にその第２の孔３８は、バックライトユニット７を液晶パネルユニット４の第１の側壁２５内に収容したときに第１の孔２６の中心と第２の孔３８の中心とが一致するように形成されており、これにより背面カバー９及びバックライトユニット７と液晶パネルユニット４とを一体的に固定するときに皿ネジ１０を第１及び第２の孔２６,３８に挿通することができる。
【００５１】
また、第１の面３５には例えば図２に示すように回路基板８が２つ（回路基板８ａ，８ｂ）が配置されており、該回路基板８ａ，８ｂを第１の面３５に着脱可能とする第１の係止部としての爪３９が、該回路基板８ａ，８ｂの周辺を係止できるように例えば夫々４箇所形成されている。
【００５２】
更に例えば図２に示すようにその一方の回路基板８ｂは例えば照明装置５を制御するＩＣ４０等が実装されており、そのＩＣ４０等はコネクタ４１を介し照明装置５と電気的に接続されている。同様に回路基板８ａは、例えば液晶駆動用ＩＣ２２等を制御するＩＣ４２等が実装されており、そのＩＣ４２等はコネクタ４３を介しフレキシブル基板４４の配線４５に電気的に接続されている。
【００５３】
これにより、照明装置５を交換するときはコネクタ４１，４３からフレキシブル基板４４等を外し、更に回路基板８ａ，８ｂを第１の面３５に固定している爪３９を少し曲げれば簡単に回路基板８ａ，８ｂを実装された電子部品ごと中カバー６から外し、再利用が可能となる。
【００５４】
また、第３の側壁３６ａ，３６ｂには、図２に示すようにスペーサ３７の斜め下方に夫々第１の側壁２５ａ，２５ｂの突起２７に対応する第２の係止部としての凹部４６が設けられている。これにより、図４に示すようにバックライトユニット７を表カバー３の第１の側壁２５（２５ａ，２５ｂ）内に収納したときに、凹部４６に第１の側壁２５ａ，２５ｂの突起２７が丁度係合し、皿ネジ１０で最終的に背面カバー９及びバックライトユニット７と液晶パネルユニット４とを一体的に固定するまでの間に、バックライトユニット７が動いてしまうことを防ぐことができる。
【００５５】
更に、中カバー６は例えばアルミニューム材により構成されており、照明装置５、特にＣＣＦＴ等からの熱を該アルミニューム材全体で均一化させ、液晶パネル２等への影響を最小限に抑えている。勿論、アルミニューム材に限られるものではなく熱をよく伝え硬い材料であればよい。
【００５６】
また、中カバー６の第１の面３５に直接配置される回路基板８は必要に応じ該回路基板８と第１の面３５との間に絶縁材４７が配置されている。例えば図２及び図５に示すように回路基板８ａと第１の面３５との間には絶縁材４７が配置されている。これにより、回路基板８ａのアルミニューム材側に露出した配線等がある場合等にも導電性のアルミニューム材による回路基板８ａの電気的ショートを防止できる。勿論、回路基板８ｂのアルミニューム材側にも露出した配線等があるときは、回路基板８ｂと第１の面３５との間にも絶縁材４７を配置できる。
【００５７】
次に、背面カバー９は例えば図１、図２及び図４に示すように第２の面４８と第２の側壁４９（４９ａ，４９ｂ）及び固定部５０等を有する。
【００５８】
ここで、背面カバー９はバックライトユニット側に開放された略箱型の形状で、表カバー３の第１の側壁内に収まるように形成されている。
【００５９】
また、第２の面４８は背面カバー９の開放側に中カバー６の第１の面３５に対向するように略矩形状の平面に形成されており、第２の側壁４９（４９ａ，４９ｂ）は第２の面４８の４辺から例えば図１、図２及び図４に示すように略中カバー６の４辺の第３の側壁３６（３６ａ，３６ｂ）の延長線上（図中Ｚ軸方向に）に中カバー側に立設されている。
【００６０】
更に固定部５０は、例えば図１、図２及び図４に示すように第３の側壁３６ａ，３６ｂに対応する第２の側壁４９ａ，４９ｂ側で、中カバー６のスペーサ３７に対応する左右の位置に形成されている。また、その固定部５０の略中央に皿ネジ１０のネジに合わせた雌ネジ５１が形成されている。これにより、表カバー３の第１の側壁２５内にバックライトユニット７及び背面カバー９を収容した際に、第１の側壁２５ａ，２５ｂに設けられた第１の孔２６及びスペーサ３７に設けられた第２の孔３８と更に固定部５０の雌ネジ５１の孔との中心が一致することとなる。
【００６１】
また、固定部５０は例えば図１、図２及び図４に示すようにスペーサ３７の厚さ（図２及び図４中のＤ）だけ第２の面４８の縁から内側に引っ込むように形成されている。これにより、例えば相対向する第３の側壁３６ａ，３６ｂに夫々２つ設けられたスペーサ３７を固定部５０の窪みに丁度納めることができ、その分液晶装置１の横方向（図中のＹ軸方向）の長さを小さくすることが可能となる。更に固定部５０による窪みと突出したスペーサ３７との大きさが一致すれば、複数のスペーサ３７と固定部５０とによりバックライトユニット７と背面カバー９とが簡単に位置決めできることとなる。
【００６２】
尚、背面カバー９の固定部５０は例えば図１、図３、図４及び図５に示すように第２の側壁４９と別部品として該第２の側壁４９の一部をカットして内部に引っ込んだ状態で固定されているものとしているが、これに限られるものではなく例えば図６に示すように背面カバー９の固定部５０を第２の側壁４９（４９ａ，４９ｂ）と一体的に形成してもよい。これにより、特に固定部５０を別の部材として製造する必要がないので製造コストの低減となる。この場合は、第２の側壁４９の一部、中カバー６のスペーサ３７に対応するところがスペーサ３７の厚さ（図６中のＤ）だけ第２の面４８の縁から内側に引っ込むように形成され、その部分が固定部５０となる。
【００６３】
（液晶装置の動作）
【００６４】
次に、以上のように構成された液晶装置１の動作について照明装置の交換動作を中心に説明する。
【００６５】
図７は完成品の液晶装置１を背面カバーから見た状態の概略斜視図、図８は図７の背面カバーを取り外した状態の概略斜視図、図９は液晶パネルユニットから背面カバー、バックライトユニットを夫々取り外した状態の概略斜視図及び図１０はバックライトユニットから回路基板を取り外した状態の概略斜視図である。
【００６６】
まず、液晶装置１を図７に示すように背面カバー９を表向きになるようにして、表カバー３の相対向する第１の側壁２５ａ，２５ｂの例えば４箇所の第１の孔２６に捻じ込まれている皿ネジ１０を全部外す。
【００６７】
そして、図８に示すように背面カバー９を表カバー３から外す。このとき、背面カバー９の固定部５０がスペーサ３７の形と略一致する溝形状の窪みになっているので、そのまま上方へ背面カバー９を持ち上げれば簡単に、しかも部品を傷つけずに背面カバー９を表カバー３から取り外すことができる。
【００６８】
次に、図８で回路基板８ａのコネクタ４３からフレキシブル基板４４を外して表カバー３からバックライトユニット７を持ち上げて外す。これで図９に示すように背面カバー９及びバックライトユニット７と液晶パネルユニット４とを夫々取り外すことができたこととなる。
【００６９】
また、図９の状態でバックライトユニット７の回路基板８ｂのコネクタ４１からリード線を外し、その回路基板８ｂを第１の面３５に固定している爪３９を全て少し起こし回路基板８ｂをバックライトユニット７から取り外す。同様に回路基板８ａを固定している爪３９を全て少し起こし、回路基板８ａもバックライトユニット７から取り外す。必要に応じ、回路基板８ａと第１の面３５との間に配置された絶縁材４７も取り外す。
【００７０】
これにより、図１０に示すようにバックライトユニット７は電子部品が実装された回路基板８（８ａ，８ｂ）が取り外されて、中カバー６でユニット化された照明装置５のみとなり、例えば光源２８のＣＣＦＴの寿命が来て交換が必要な場合に、このユニット化された照明装置５のみを新しい図１０に示すように回路基板８（８ａ，８ｂ）が取り付けられていない状態のユニット化された照明装置５と取替えることができる。
【００７１】
以下の作業は上述に記載の作業と逆の作業をすることとなる。
【００７２】
すなわち、図１０に示すように回路基板８（８ａ，８ｂ）が取り付けられていない状態の新しいユニット化された中カバー６の第１の面３５の爪３９に先ほど取り外した回路基板８ａ，８ｂをセットし、爪３９を少し曲げ回路基板８ａ，８ｂを第１の面３５に固定する。この際、回路基板８ａは第１の面との間に絶縁材４７を配置する。これにより、回路基板８ａでの電気的ショートを防止できる。
【００７３】
次に、回路基板８ｂのコネクタ４１に照明装置５からのリード線を電気的に接続すると、図９で示すような状態となる。更に図８に示すように回路基板８ａのコネクタ４３に液晶パネル２からのフレキシブル基板４４を電気的に接続し、表カバー３の内側に固定してある液晶パネル２の上に重ねるように静かにバックライトユニット７を第１の側壁２５内に収容する。このとき、所定の位置に配置すると第１の側壁２５ａ，２５ｂの内側に突出した突起２７がバックライトユニット７の第３の側壁３６ａ，３６ｂに形成された凹部４６に係合し、最終的に皿ネジ１０で固定するまでバックライトユニット７を仮止めすることができる。
【００７４】
更に仮止めされたバックライトユニット７の上に丁度重なるように背面カバー９を第１の側壁２５内に収容する。このとき、中カバー６のスペーサ３７が丁度収まるような凹みが溝状に背面カバー９の側面に固定部５０として形成されているので、背面カバー９を正確に位置決めしながらバックライトユニット７及び液晶パネルユニット４に組み込むことができる。また、当該固定部５０には雌ネジ５１が形成されているので、その雌ネジ５１とスペーサ３７に形成されている第２の孔３８と第１の側壁２５ａ，２５ｂに形成されている第１の孔２６とが一致し、皿ネジ１０で夫々を一体的に固定できる。
【００７５】
そして、背面カバー９の固定部５０に全てのスペーサ３７が対応するように背面カバー９を第１の側壁内にセットしたら、例えば図７に示すように全ての第１の孔２６に皿ネジ１０を第１及び第２の孔２６，３８に挿入し固定部５０の雌ネジ５１に捻じ込み、固定部５０と第１の側壁２５ａ，２５ｂによりスペーサ３７を挟み固定する。すなわち、皿ネジ１０の頭まで入ると径の大きい部分、皿ネジ１０の頭の部分と固定部５０によりしっかり固定されることとなる。これにより、図７に示すように背面カバー９とバックライトユニット７及び液晶パネルユニット４とを一体的に固定することができ、液晶装置１が再び完成することとなる。
【００７６】
以上で液晶装置１の動作の説明を終了する。
【００７７】
このように本実施形態によれば、液晶装置１は照明装置５を中カバー６でカバーしユニット化して液晶パネル２をカバーする表カバー３に収容し、それらを固定部材である皿ネジ１０で一体的に固定し更に夫々を取外し可能としたので、寿命や不良となった例えば照明装置５を１つのバックライトユニット７として簡単に取外して交換することができ、交換作業が極めて容易となった。また、そのことにより、まだ使用可能なところはそのまま再利用して液晶装置１の再使用が可能となるので省資源化を図ることができる。
【００７８】
また、中カバー６に所定の間隔（図中のＣ）を形成すると共に照明装置５を位置決めするスペーサ３７を有することとしたので、該スペーサ３７を用いて背面カバー９との間に必要な電子部品例えばＩＣ等の収納スペースを確保できると共に、中カバー６でカバーされる照明装置５を所定の位置に位置決めし固定することも可能となる。
【００７９】
また、中カバー６は、背面カバー側の第１の面３５と該第１の面の縁から背面カバー９に向かって突出しているスペーサ３７とを有し、バックライトユニット７は、スペーサ３７と固定部材例えば皿ネジ１０とにより背面カバー９と液晶パネルユニット４とに一体的に固定され更に夫々が取外し可能とされているので、照明装置５が配置される場所にかかわらず比較的スペースに余裕がある部分で皿ネジ１０により、背面カバー９とバックライトユニット７及び液晶パネルユニット４とを一体的に固定することができる。また、突出したスペーサ３７により簡単に背面カバー９との間に必要な電子部品等の収納スペースを確保できる。
【００８０】
更に背面カバー９は、中カバー側の第２の面４８と少なくともスペーサ３７に対応する固定部５０とを有し、表カバー３は、背面カバーとバックライトユニット７とを収容するように液晶パネル２による表示側面の縁に背面カバー側に立設された第１の側壁２５を有し、皿ネジ１０は、固定部５０及びスペーサ３７と第１の側壁２５とで背面カバー９とバックライトユニット７及び液晶パネルユニット４とを一体的に固定し更に夫々を取外し可能とされているので、液晶装置１の表示面に対しその側方の第１の側壁２５に固定部材、例えば皿ネジ等を挿入して、液晶パネルユニット４にバックライトユニット７と背面カバー９とを一体的に固定することが可能となり、より小型化、薄型化を図ることが可能となる。
【００８１】
また、固定部５０は、スペーサ３７の厚さ分だけ第２の面４８の縁から内側に形成されているので、固定部５０及び第１の側壁２５とスペーサ３７とを一体的に固定するときに、スペーサ３７を窪んだ固定部５０に入れることができ、その分、液晶装置１の横方向の長さを縮めることができる。また、該固定部５０が丁度スペーサ３７が嵌まり込む大きさに形成されていれば、簡単に背面カバー９とバックライトユニット７との位置決めができることなり、組立作業の効率化が図れる。
【００８２】
更に表カバー、中カバー及び背面カバー３，７，９は、一方が開放された箱型の形状を有し、背面カバー９は、開放された側が表カバー３の内側向きになるように配置されると共に箱型の側壁である固定部５０を含む第２の側壁４９を有し、中カバー６は、背面カバー９と平面的に略同じ大きさで、開放された側に照明装置５が配置されると共にスペーサ３７が延設されている箱型の側壁である第３の側壁３６を有し、表カバー３は、開放された側に液晶パネル２が配置されると共に背面カバー９と中カバー６とが丁度収まるような第１の側壁２５である箱型の側壁を有することとしたので、例えば表カバー３である一番大きな箱にバックライトユニット７の中カバー６の箱を収め、その上に背面カバー９としての箱を積み上げるようにして収納できるので、交換作業がより容易となる。また、夫々の形状が単純で製造コストの低減を図ることが可能である。
【００８３】
また、第１の面３５に少なくとも照明装置５を制御する電子部品を実装した回路基板８ａ，８ｂを更に配置し、スペーサ３７により形成される所定の間隔は、少なくとも電子部品が回路基板８ａ，８ｂに実装可能となるスペースを第１の面３５と第２の面４８との間に形成することとしたので、回路基板８ａ，８ｂの電子部品例えばＩＣ４０，４２を傷つけないで液晶装置１の小型化を図ることができる。
【００８４】
更に中カバー６は、該第１の面３５に回路基板８ａ，８ｂを着脱可能とする第１の係止部としての爪３９を有することとしたので、中カバー６から再使用可能な電子部品が実装された回路基板８ａ，８ｂを取外すことが簡単にでき、更なる省資源化を図ることが可能となる。
【００８５】
また、第３の側壁３６は、中カバー６を第１の側壁内の所定の位置に仮止めすることが可能な第２の係止部としての凹部４６を有することとしたので、皿ネジ１０で最終的に背面カバー９とバックライトユニット７及び液晶パネルユニット４とを一体的に固定するまでの間に表カバー内に収めたバックライトユニット７が動いてしまうことを防ぐことができ、組立作業が容易となる。
【００８６】
更に第１の側壁２５は、該第１の側壁内に収容される第３の側壁３６に向かって突出する突起２７を有し、第３の側壁３６は、突起２７が係合する凹部４６を有することとしたので、簡単な構造によりバックライトユニット７を表カバー３の所定の位置に仮止めすることができる。
【００８７】
また、中カバー６は、アルミニューム材により構成され、該アルミニューム材により構成された中カバー６と回路基板８ａとの間に絶縁材４７を更に有することとしたので、照明装置５、特にＣＣＦＴ等からの熱を中カバー全体で均一化させ、液晶パネル等への影響を最小限に抑えることができる。また、中カバー６と回路基板８ａとの間に絶縁材４７を配置したので、回路基板８ａの配線が電気的にショートすることを防ぐことができる。
【００８８】
更に固定部材例えば皿ネジ１０は、雄ネジであり、第１の側壁２５ａ，２５ｂは、該雄ネジを挿入させ該雄ネジの頭部が係止可能な第１の孔２６を有し、３７スペーサは、雄ネジが挿入可能な第１の孔２６に対応する第２の孔３８を有し、固定部５０は、第１の孔２６及び第２の孔３８に挿入された雄ネジを固定し、該固定部５０と第１の側壁２５ａ，２５ｂとの間にスペーサ３７を挟み、背面カバー９とバックライトユニット７及び液晶パネルユニット４とを一体的に固定可能な雌ネジ５１を有することとしたので、雄ネジである皿ネジ１０を第１の側壁の２５ａ，２５ｂの第１の孔２６、スペーサ３７の第２の孔３８に挿入し固定部５０の雌ネジ５１にねじ込むことにより、きわめて簡単に背面カバー９とバックライトユニット７及び液晶パネルユニット４とを一体的に固定することができる。また、該雄ネジである皿ネジ１０を雌ネジ５１、第１及び第２の孔２６，３８から外すことにより簡単に背面カバー９とバックライトユニット７及び液晶パネルユニット４とを夫々取外すことができる。更にこの取り外しが、他の部品の元の形を損なわずにできるので交換しない部品の再利用が可能となる。
【００８９】
（第２の実施形態・電子機器）
【００９０】
次に、上述した液晶装置１を備えた本発明の第２の実施形態に係る電子機器について説明する。尚、第１の実施形態の構成要素と共通する構成要素については、第１の実施形態の構成要素と同一の符号を付しその説明を省略する。
【００９１】
図１１は本発明の第２の実施形態に係る電子機器の表示制御系の全体構成を示す概略構成図である。
【００９２】
電子機器３００は、表示制御系として例えば図１１に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【００９３】
また、液晶パネル２には表示領域Ｉを駆動する駆動回路３６１を有する。
【００９４】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【００９５】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【００９６】
このように本実施形態によれば、電子機器３００に備えられた例えば液晶装置１は、照明装置５を中カバー６でカバーしユニット化して液晶パネル２をカバーする表カバー３に収容し、それらを固定部材である皿ネジ１０で一体的に固定し更に夫々を取外し可能としたので、寿命や不良となった例えば照明装置５を１つのバックライトユニット７として簡単に取外して交換することができ、交換作業が極めて容易となった。また、そのことにより、まだ使用可能なところはそのまま再利用して液晶装置１の再使用が可能となるので省資源化を図ることができる。
【００９７】
特に最近の電子機器にあっては、自然に優しい省資源であることが求められており、より簡単に電気光学装置から例えばＣＣＦＴ等の照明装置等を取り外し、取り付けできる本発明の意義は大きいといえる。
【００９８】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１が適用可能なのは言うまでもない。
【００９９】
なお、本発明の電気光学装置及び電子機器は、上述した例に限定されるものではなく、本発明の要旨を逸脱しない範囲において種々変更を加え得ることは勿論である。
【０１００】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０１０１】
以上、好ましい実施形態を上げて本発明を説明したが、本発明は上述したいずれの実施形態にも限定されず、本発明の技術思想の範囲内で適宜変更して実施できる。
【０１０２】
例えば、上述の実施形態ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、半透過型に限らず透過型であってもよい。これにより、多種多様な液晶装置についても、簡単に交換必要なユニットを取り替え、それ以外のユニットや部品を再利用できる。
【０１０３】
また、上述の実施形態では背面カバー９の第２の側壁４９（４９ａ，４９ｂ）を中カバー６の第１の面３５に載置するように説明したがこれに限られるものではなく、例えばスペーサ３７の構造、具体的には第２の孔３８の位置によって背面カバー９を中カバー６から少し浮かすようにしてもよい。すなわち、スペーサ３７により適宜に背面カバー９の第２の面４８と中カバー６の第１の面３５との間隔を調整できることとなる。これにより、より多種多様な液晶装置の製造コストの低減化、省資源化が図れる。
【０１０４】
更に上述の実施形態では皿ネジを挿入する第１の孔等や仮止め用の突起及び凹部、更には回路基板固定用の爪の数を夫々４つとして説明したがこれに限られるものではないことは勿論であり、それより多くてもいいし、またその効果が果たせれば少なくてもよい。
【図面の簡単な説明】
【０１０５】
【図１】第１の実施形態に係る液晶装置を３つに分けた分解斜視図である。
【図２】図１を反対側から見た分解斜視図である。
【図３】第１の実施形態に係る液晶装置のより細かい分解斜視図である。
【図４】図２のＡ−Ａ線断面図（液晶駆動用ＩＣは切断されていない。）である。
【図５】図２のＢ−Ｂ線断面図である。
【図６】第１の実施形態に係る他の背面カバーの説明図である。
【図７】完成品の液晶装置１を背面カバーから見た状態の概略斜視図である。
【図８】図７の背面カバーを取り外した状態の概略斜視図である。
【図９】背面カバー、バックライトユニットを取り外した状態の概略斜視図である。
【図１０】バックライトユニットから回路基板を取り外した状態の概略斜視図である。
【図１１】第２の実施形態に係る電子機器の表示制御系の概略構成図である。
【符号の説明】
【０１０６】
１  液晶装置、  ２  液晶パネル、  ３  表カバー、  ４  液晶パネルユニット、  ５  照明装置、  ６  中カバー、  ７  バックライトユニット、  ８，８ａ，８ｂ  回路基板、  ９  背面カバー、  １０  皿ネジ、  １１  シール材、  １２  第１の基板、  １３  第２の基板、  １４  液晶、  １５  コモン電極、  １６，１８  オーバーコート層、  １７  セグメント電極、  １９  張出し部、  ２０  コモン電極用配線、  ２１  セグメント電極用配線、  ２２  液晶駆動用ＩＣ、  ２３  外部用端子、  ２４  表示用開口部、  ２５，２５ａ，２５ｂ  第１の側壁、  ２６  第１の孔、  ２７  突起、  ２８  光源、  ２９  導光板、  ３０，３１  プリズムシート、  ３２  拡散シート、  ３３  反射シート、  ３４  遮光部材、  ３５  第１の面、  ３６，３６ａ，３６ｂ  第３の側壁、  ３７  スペーサ、  ３８  第２の孔、  ３９  爪、  ４０，４２  ＩＣ、  ４１，４３  コネクタ、  ４４  フレキシブル基板、  ４５  配線、  ４６  凹部、  ４７  絶縁材、  ４８  第２の面、  ４９，４９ａ，４９ｂ  第２の側壁、  ５０  固定部、  ５１  雌ネジ、  ３００  電子機器、  ３６１  駆動回路、  ３９０  表示制御回路
【図１】
2005352039.tif 000003
【図２】
2005352039.tif 000004
【図３】
2005352039.tif 000005
【図４】
2005352039.tif 000006
【図５】
2005352039.tif 000007
【図６】
2005352039.tif 000008
【図７】
2005352039.tif 000009
【図８】
2005352039.tif 000010
【図９】
2005352039.tif 000011
【図１０】
2005352039.tif 000012
【図１１】
2005352039.tif 000013